(57)【要約】【目的】ケーブル又はコードのいずれの端部側からでも任意に且つ双方向的に、またケーブル又はコードの端部側ではない中間部分からでも任意にルーズに巻回して纏める（束ねる）ことができ、またケーブル又はコードを極めて効率的に巻回して纏めることができるケーブル等ホルダーを提供する。【構成】ケーブル又はコードの一部を内部に配置可能に形成され、前記ケーブル又はコードの長手方向と略直交する平面が略円形又は略多角形の輪郭を有する略リング状に形成された略リング状部であって開口部の幅がケーブル等を通過させられる状態とケーブル等を内部に保持できる状態との間で変形可能に形成された、少なくとも２つの略リング状部と、これらを互いに所定の距離を介して接続等する接続部とを備えたケーブル等ホルダーである。【選択図】    図１
2019104564.tif 000002
【特許請求の範囲】
【請求項１】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている、少なくとも２つの略リング状部と、
前記少なくとも２つの略リング状部を、それらが互いに所定の距離を介して配置されるように、互いに接続又は連結する接続部と、
を備えたケーブル等ホルダー。
【請求項２】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている２つの略リング状部を、それらが互いに所定の距離を介して配置されるように略棒状接続部により接続又は連結して成るケーブル等ホルダーを２つ用意し、前記各略棒状接続部をその各中間部分において互いに交差させて係止又は固定することにより、前記２つのケーブル等ホルダーを互いに固定し、これにより、４つの略リング状部が互いに所望の距離を介して配置するように構成された、ケーブル等ホルダー。
【請求項３】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている略リング状部が、前記略リング状部の開口部を通過するときのケーブル又はコードの長手方向と略平行な方向に、側面視で略円形又は略多角形の輪郭を有するように連続するように、形成されて成る、ケーブル等ホルダー。
【請求項４】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている複数の略リング状部と、
前記略リング状部の開口部を通過するときのケーブル又はコードの長手方向と略平行な平面が略円形又は略多角形の輪郭を有するように形成されて成る接続部であって、その外周面に、前記複数の略リング状部を互いに所望の距離を介して配置又は固定する接続部と、
を備えたケーブル等ホルダー。
【請求項５】
前記略リング状部は、可とう性材料又は弾性材料により一体的に形成されている、請求項１から４までのいずれかに記載のケーブル等ホルダー。
【請求項６】
前記略リング状部中の前記開口部の縁部を構成するように互いに対向する各開口端部は、前記ケーブル又はコードが前記開口部中を外部から内部へ又は内部から外部へ通過するとき前記ケーブル又はコードの側面が摺動し易いように、前記開口部を通過するときのケーブル又はコードの長手方向と略直交する平面が略円形状に形成されている、請求項１から５までのいずれかに記載のケーブル等ホルダー。
【発明の詳細な説明】
【技術分野】
【０００１】
本発明は、電気製品（電気部品を含む）などに付属又は使用されるケーブル又はコード（光ファイバケーブルなどを含む。）を効率的に巻回して整理し収めることができるケーブル等ホルダーに関する。
【背景技術】
【０００２】
従来より、電気製品（電気部品を含む）に付属又は使用されるケーブル又はコードを整然と巻回するなどの方法で整理、整列又は収容するケーブル等ホルダーが利用されている（例えば特許文献１参照）。
【先行技術文献】
【特許文献】
【０００３】
【特許文献１】特開平７−２９４７５２号公報
【発明の概要】
【発明が解決しようとする課題】
【０００４】
しかしながら、従来のケーブル等ホルダーにおいては、例えばケーブル又はコードを整理等するために巻回するとき、ケーブル又はコードの一方の端部側から他方の端部側の方へと一方通行的に規則的に巻回していくことが必要であり、またケーブル等ホルダーに収容されたケーブル又はコードを取り出すときも一方の端部側から一方通行的に取り出す必要があるなど、ケーブル又はコードの柔軟な取り扱いができないなどの問題があった。また、従来のケーブル等ホルダーにおいては、ケーブル又はコードを巻回した後にその巻回したケーブル又はコードを乱れないように束ねる必要があるため、ケーブル又はコードを巻回して纏める（束ねる）ための作業が煩雑であるという問題があった。
【０００５】
本発明はこのような従来技術の問題点に着目して為されたものであって、例えばケーブル又はコードを整理等するために巻回して纏める（束ねる）とき、ケーブル又はコードの一方の端部側から他方の端部側の方へと一方通行的に規則的に巻回する必要がなく、すなわちケーブル又はコードのいずれの端部側からでも任意に且つ双方向的に、またケーブル又はコードの端部側ではない中間部分からでも任意に、そしてルーズに、巻回して纏める（束ねる）ことができ、さらに巻回されて纏められたケーブル又はコードを取り出すときも、ケーブル又はコードのいずれの端部側からでも任意に且つルーズに取り出することができるなど、ケーブル又はコードを柔軟な方法でルーズに巻回して纏める（束ねる）ことができるケーブル等ホルダーを提供することを目的とする。また、本発明は、ケーブル又はコードを極めて効率的に巻回して纏める（束ねる）ことができるケーブル等ホルダーを提供することを目的とする。
【課題を解決するための手段】
【０００６】
以上のような課題を解決するための本発明によるケーブル等ホルダーは、ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する（すなわち前記開口部の幅を規定する）各開口端部間の距離が前記ケーブル又はコードの幅よりも小さい状態と前記各開口端部間の距離が前記ケーブル又はコードの幅と略同一である状態との間で互いに変形可能に形成されている、少なくとも２つの略リング状部と、前記少なくとも２つの略リング状部を、それらが互いに所定の距離を介して配置されるように、互いに接続又は連結する接続部とを備えたものである。
【０００７】
また、本発明によるケーブル等ホルダーは、ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する（すなわち前記開口部の幅を規定する）各開口端部間の距離が前記ケーブル又はコードの幅よりも小さい状態と前記各開口端部間の距離が前記ケーブル又はコードの幅と略同一である状態との間で互いに変形可能に形成されている２つの略リング状部をそれらが互いに所定の距離を介して配置されるように略棒状の接続部により接続又は連結して成るケーブル等ホルダーを２つ用意し、前記各略棒状接続部をその各中間部分において互いに交差させて係止又は固定することにより、前記２つのケーブル等ホルダーを互いに固定し、これにより、４つの略リング状部が互いに所望の距離を介して配置するように構成されて成るものである。
【０００８】
また、本発明によるケーブル等ホルダーは、ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する（すなわち前記開口部の幅を規定する）各開口端部間の距離が前記ケーブル又はコードの幅よりも小さい状態と前記各開口端部間の距離が前記ケーブル又はコードの幅と略同一である状態との間で互いに変形可能に形成されている略リング状部が、前記略リング状部の開口部を通過するときのケーブル又はコードの長手方向と略平行な方向に、側面視で略円形又は略多角形の輪郭を有するように（例えば一体的に）連続するように、形成されて成るものである。
【０００９】
また、本発明によるケーブル等ホルダーは、ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する（すなわち前記開口部の幅を規定する）各開口端部間の距離が前記ケーブル又はコードの幅よりも小さい状態と前記各開口端部間の距離が前記ケーブル又はコードの幅と略同一である状態との間で互いに変形可能に形成されている複数の略リング状部と、前記略リング状部の開口部を通過するときのケーブル又はコードの長手方向と略平行な平面が略円形又は略多角形の輪郭を有するように形成されて成る接続部であって、その外周面に、前記複数の略リング状部を互いに所望の距離を介して配置又は固定する接続部とを備えたものである。
【００１０】
また、本発明によるケーブル等ホルダーにおいては、前記略リング状部は、可とう性材料又は弾性材料により一体に形成されていてもよい。
【００１１】
さらに、本発明によるケーブル等ホルダーにおいては、前記略リング状部中の前記開口部の縁部を構成するように互いに対向する各開口端部は、前記ケーブル又はコードが前記開口部中を外部から内部へ又は内部から外部へ通過するとき前記ケーブル又はコードの側面が摺動し易いように、前記開口部を通過するときのケーブル又はコードの長手方向と略直交する平面が略円形状に形成されていてもよい。
【発明の効果】
【００１２】
前述のように、本発明においては、ケーブル又はコードの一部を内部に配置可能な少なくとも２つ以上の略リング状部が、互いに所定の距離を介して接続されており、前記略リング状部の開口部は、前記各開口端部（前記開口部の幅を規定する部分）間の距離が前記ケーブル又はコードの幅よりも小さい状態（ケーブル又はコードが内部で保持される状態）と、前記各開口端部間の距離が前記ケーブル又はコードの幅と略同一である状態（ケーブル又はコードが通過できる状態）との間で互いに変形可能となるように構成されているので、ケーブル又はコードのどの場所の部分からでも（すなわち、ケーブル又はコードの各端部側のどちらからでも、及びケーブル又はコードの端部側に限らずどの部分からでも）、順次、ケーブル又はコードの一部を前記開口部を通過させて前記略リング状部の内部に移動、配置させながら、巻回することができる。
【００１３】
よって、本発明によれば、ケーブル又はコードを整理等するために巻回して纏めるとき、ケーブル又はコードの一方の端部側から他方の端部側の方へと一方通行的に規則的に巻回していく必要がなく、すなわちケーブル又はコードのいずれの端部側からでも任意に且つ双方向的に、またケーブル又はコードの端部側ではない中間部分からでも任意に、そしてルーズに（緩やかに）巻回して纏める（ルーズに束ねる）ことができ、さらに巻回されて纏められたケーブル又はコードを取り出すときも、ケーブル又はコードのいずれの端部側からでも任意に且つルーズに取り出することができるなど、ケーブル又はコードを柔軟な方法でルーズに巻回して纏める（ルーズに束ねる）ことができるようになる。さらに、本発明では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００１４】
また、本発明によれば、「ケーブル又はコードの胴体部を前記略リング状部の開口部を通過させて前記略リング状部の内部に移動させるという１種類の動作」を順次繰り返すだけで、ケーブル又はコードを巻回することと、巻回したケーブル又はコードを乱れないように纏める（束ねる）こととの両方を、同時に行うことができるので、ケーブル又はコードを極めて効率的に巻回して纏める（ルーズに束ねる）ことができるようになる。
【００１５】
また、本発明においては、ケーブル又はコードの一部を内部に配置可能な２つの略リング状部をそれらが互いに所定の距離を介して配置されるように略棒状接続部により接続又は連結して成るケーブル等ホルダーを２つ用意し、前記各略棒状接続部をその各中間部分において互いに交差させて係止又は固定することにより、前記２つのケーブル等ホルダーを互いに固定し、これにより、４つの略リング状部が互いに所望の距離を介して配置するように構成したので、前記４つの略リング状部を使用することにより、ケーブル又はコードを、そのいずれの端部側からでも任意に且つ双方向的に、またその端部側ではない中間部分からでも任意に、そしてルーズに（緩やかに）、巻回して纏める（ルーズに束ねる）ことができ、さらに巻回されて纏められたケーブル又はコードを取り出すときも、そのいずれの端部側からでも任意に且つルーズに取り出することができるなど、ケーブル又はコードを柔軟な方法でルーズに巻回して纏める（ルーズに束ねる）ことができるようになると共に、ケーブル又はコードを巻回することと巻回したケーブル又はコードを乱れないように纏める（束ねる）こととの両方を、「ケーブル又はコードの胴体部を前記略リング状部の開口部から内部に移動させるという一種類の動作」を順次繰り返すだけで実現することができるので、ケーブル又はコードを極めて効率的に巻回して纏める（ルーズに束ねる）ことができるようになる。また、特に本発明においては、「全体として平板状のケーブル等ホルダー」を２個だけ用意し（例えば図９参照）、作業者（ユーザー）が現場で、それら２個の各ケーブル等ホルダーを前記接続部の凹部を互いに嵌め合わせること等により、「互いに交差した状態の、計４個の略リング状部を備えたケーブル等ホルダー」を作製する（例えば図１０参照）ようにした。よって、本発明によれば、ケーブル等ホルダーとして使用しないときには「全体として平板状のケーブル等ホルダー」として運搬等のために省スペースでの取扱いが可能で便利な平板状の形態としつつ、ケーブル等ホルダーとして使用するときには前記２個の「全体として平板状のケーブル等ホルダー」を組合せて１つの「互いに交差した状態の、立体的な計４個の略リング状部を備えたケーブル等ホルダー」を作製して、ケーブル又はコードを整理し纏めるために使用することができるようになる。さらに、本発明では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００１６】
また、本発明においては、前記略リング状部を、前記開口部の縁部を構成する各開口端部間の距離が前記ケーブル又はコードの幅よりも小さい状態（ケーブル又はコードが内部で保持される状態）と前記各開口端部間の距離が前記ケーブル又はコードの幅と略同一である状態（ケーブル又はコードが通過できる状態）との間で互いに変形可能に形成し、且つ、前記略リング状部を、前記略リング状部の開口部を通過するときのケーブル又はコードの長手方向と略平行な方向に略円形又は略多角形の輪郭を有するように連続する（例えば一体的に連続する）ように構成したので、ケーブル又はコードを、そのいずれの端部側からでも任意に且つ双方向的に、またその端部側ではない中間部分からでも任意に、そしてルーズに（緩やかに）、巻回して纏める（ルーズに束ねる）ことができ、さらに巻回されて纏められたケーブル又はコードを取り出すときも、そのいずれの端部側からでも任意に且つルーズに取り出することができるなど、ケーブル又はコードを柔軟な方法でルーズに巻回して纏める（ルーズに束ねる）ことができるようになると共に、ケーブル又はコードを巻回することと、巻回したケーブル又はコードを乱れないように纏める（束ねる）こととの両方を、「ケーブル又はコードの胴体部を前記略リング状部の開口部から内部に移動させるという一種類の動作」を順次繰り返すだけで実現することができるので、ケーブル又はコードを極めて効率的に巻回して纏める（ルーズに束ねる）ことができるようになる。さらに、本発明では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００１７】
また、本発明においては、前記複数の略リング状部を、それぞれ、前記開口部の縁部を構成する各開口端部間の距離が前記ケーブル又はコードの幅よりも小さい状態（ケーブル又はコードが内部で保持される状態）と前記各開口端部間の距離が前記ケーブル又はコードの幅と略同一である状態（ケーブル又はコードが通過できる状態）との間で互いに変形可能に形成し、前記略リング状部の開口部を通過するときのケーブル又はコードの長手方向と略平行な平面が略円形又は略多角形の輪郭を有するように形成された接続部の外周面に、前記複数の略リング状部を互いに所望の距離を介して配置又は固定するように構成したので、ケーブル又はコードを、そのいずれの端部側からでも任意に且つ双方向的に、またその端部側ではない中間部分からでも任意に、そしてルーズに（緩やかに）、巻回して纏める（ルーズに束ねる）ことができ、さらに巻回されて纏められたケーブル又はコードを取り出すときも、そのいずれの端部側からでも任意に且つルーズに取り出することができるなど、ケーブル又はコードを柔軟な方法でルーズに巻回して纏める（ルーズに束ねる）ことができるようになると共に、ケーブル又はコードを巻回することと巻回したケーブル又はコードを乱れないように纏める（束ねる）こととの両方を、「ケーブル又はコードの胴体部を前記略リング状部の開口部から内部に移動させるという一種類の動作」を順次繰り返すだけで実現することができるので、ケーブル又はコードを極めて効率的に巻回して纏める（ルーズに束ねる）ことができるようになる。さらに、本発明では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００１８】
また、本発明において、前記略リング状部を可とう性材料又は弾性材料により一体的に形成するようにしたときは、極めて低コストに且つ確実に、前記略リング状部の開口部を、前記各開口端部間の距離が前記ケーブル又はコードの幅よりも小さい状態（ケーブル又はコードが内部で保持される状態）と前記各開口端部間の距離が前記ケーブル又はコードの幅と略同一である状態（ケーブル又はコードが通過できる状態）との間で互いに変形可能に形成できるようになる。
【００１９】
さらに、本発明において、前記略リング状部の開口部の縁部を構成する各開口端部を、前記開口部を通過するときのケーブル又はコードの長手方向と略直交する平面が略円形状となるように形成したときは、前記ケーブル又はコードを前記開口部の外部から内部へ又は内部から外部へ通過させるとき、前記ケーブル又はコードの胴体部の側面が前記各開口端部の対向面に対し滑らかに摺動するようになるので、前記ケーブル又はコードの前記開口部を介しての外部と内部との間の出し入れ（移動）を、極めて滑らかに行えるようになる。
【図面の簡単な説明】
【００２０】
【図１】本発明の実施形態１によるケーブル等ホルダーの構成を説明するための斜視図である。
【図２】本実施形態１の動作を説明するための斜視図である。
【図３】本実施形態１の動作を説明するための斜視図である。
【図４】本実施形態１の動作を説明するための斜視図である。
【図５】本実施形態１の動作を説明するための斜視図である。
【図６】本実施形態１の動作を説明するための斜視図である。
【図７】本実施形態１の動作を説明するための斜視図である。
【図８】本実施形態１の動作を説明するための斜視図である。
【図９】本発明の実施形態２によるケーブル等ホルダーの構成を説明するための斜視図である。
【図１０】本発明の実施形態２の構成を説明するための斜視図である。
【図１１】本実施形態２の動作を説明するための斜視図である。
【図１２】本実施形態２の動作を説明するための斜視図である。
【図１３】本実施形態２の動作を説明するための斜視図である。
【図１４】本実施形態２の動作を説明するための斜視図である。
【図１５】本実施形態２の動作を説明するための斜視図である。
【図１６】本実施形態２の動作を説明するための斜視図である。
【図１７】本実施形態２の動作を説明するための斜視図である。
【図１８】本実施形態２の動作を説明するための斜視図である。
【図１９】本発明の実施形態３によるケーブル等ホルダーの構成を説明するための図で、（ａ）は側面図、（ｂ）は（ａ）のＡ−Ａ’断面図である。
【図２０】本発明の実施形態４によるケーブル等ホルダーの構成を説明するためのの図で、（ａ）はその一例を示す側面図、（ｂ）は他の例を示す側面図である。
【発明を実施するための形態】
【００２１】
〔第１の実施形態〕
以下、本発明の実施形態１を図面を用いて説明する。図１は、本実施形態１に係るケーブル等ホルダーの構成を示す図である。図１において、１は本実施形態１によりケーブル又はコードを巻回及び保持するときのケーブル等の長手方向と略直交する平面が略円形の輪郭を有するように形成されて成る略リング状部、２は前記略リング状部１の内部（ケーブル又はコードの一部を保持する空間）、３ａ，３ｂは前記略リング状部１中の切り欠かれた一部（後述の開口部４）を形成する２つの開口端部、４は前記２つの開口端部３ａ，３ｂにより形成される開口部であってケーブル又はコードの胴体部（ケーブル又はコードの各端部の間の部分）を前記略リング状部１の内部２と外部との間で出し入れするための開口部、５は２つの前記略リング状部１を互いに所定の距離を介して接続又は連結する例えば棒状の接続部、６は前記接続部５の中間部分（中央部分）に形成された凹部（窪み）である。
【００２２】
なお、前記略リング状部１の内径（すなわち前記内部２の直径）は、対象とするケーブル又はコードの胴体部の幅寸法や全体の長さなどに対応させて様々なサイズとすることが可能であるが、対象とするケーブル又はコードの胴体部を複数、余裕を持って収容し保持できるサイズ（ルーズに配置し保持できるサイズ）とすることが望ましい。本実施形態１においては、前記略リング状部１の内径（すなわち前記内部２の直径）は、例えば約５〜３０ｍｍ、約１０〜２５ｍｍ、約１５〜２０ｍｍ、又は約１６〜１７ｍｍ程度に形成した。
【００２３】
また、前記開口部３の幅は、対象とするケーブル又はコードの胴体部の幅寸法に対応させて様々なサイズとすることが可能であるが、対象とするケーブル又はコードの胴体部を内部２に保持できる通常の幅と対象とするケーブル又はコードの胴体部を通過させられる幅との間で変形可能とすることが望ましい。本実施形態１においては、前記開口部３の通常の幅寸法は、前記ケーブルの胴体部（例えば約３ｍｍ）の幅寸法よりも小さい約２ｍｍ（前記ケーブルの胴体部が容易に通過することを防止して前記ケーブルの胴体部を収容、保持できる幅寸法）となるように形成し、さらに、前記ケーブルの胴体部が通過するときだけは前記ケーブルの胴体部の幅と同一の約３ｍｍ（前記ケーブルの胴体部を通過できる幅寸法）に一時的に弾性変形できるように形成した。
【００２４】
また、本実施形態１では、前記接続部５の長さ（前記の２つの各リング状部１の間の距離）は、対象とするケーブル又はコードの長さ、対象とするケーブル又はコードが付属又は接続されている電気製品（電気部品を含む）の大きさ、種類等に対応させて様々なサイズとすることが可能である。本実施形態１においては、前記接続部５の長さ（前記の２つの各リング状部１の間の距離）は、例えば約５０〜２００ｍｍ、約５０〜１５０ｍｍ、又は約９０〜１１０ｍｍ程度に形成した。
【００２５】
また本実施形態１において、前記略リング状部１及び前記接続部５は、プラスチックなどの可とう性材料又は弾性材料により一体的に形成されているので、前記各開口端部３は、図示左右方向に弾性変形可能に構成されている。よって、本実施形態１では、前記開口部４の縁部を構成する各開口端部３ａ，３ｂが、前記各開口端部３ａ，３ｂ間の距離（前記開口部４の幅）がケーブル又はコードの幅よりも小さい状態と、前記各開口端部３ａ，３ｂ間の距離（前記開口部４の幅）がケーブル又はコードの幅と略同一である状態との間で、互いに弾性変形可能に形成されている（これは、詳しくは後述するが、ケーブル又はコードが前記開口部４中を通過できるようにし且つケーブル又はコードを前記略リング状部１の内部２中で収容、保持できるようにするための構成である）。
【００２６】
また、本実施形態１において、前記開口部４の縁部を構成するように互いに対向する各開口端部３ａ，３ｂは、図１に示すように、その平面（前記開口部４を通過するときのケーブル又はコードの長手方向と略直交する平面）が、略円形状となるように形成されている（これは、詳しくは後述するが、ケーブル又はコードが前記開口部４中を外部から内部へ又は内部から外部へ通過するとき、当該ケーブル又はコードの胴体部側面が前記各開口端部３ａ，３ｂの対向面に対して摺動し易いようにするための構成である）。
【００２７】
次に、ケーブルの一部を本実施形態１に係るケーブル等ホルダーに巻回し保持するときの動作を、図２〜図８を参照して説明する。まず、図２に示すように、ケーブル１１の任意の場所の部分を手に取って、その部分を、前記略リング状部１の外部から前記開口部４を通過させて、前記略リング状部１の内部２に移動させる。なお、図２において、符号１２，１３は前記ケーブル１１の各端部に備えられた端子である（なお、本発明では、前記ケーブル１１の各端部に電気製品（電気部品を含む）又はプラグなどが備えられていてもよい）。
【００２８】
図３〜５は前記ケーブル１１の任意の場所の部分を、前記略リング状部１の外部から前記開口部４を通過させて前記略リング状部１の内部２に移動させるときの動作を示すものである。図３に示すように、前記各開口端部３ａ及び３ｂの間の隙間により形成される開口部４（図２参照）の幅は、通常は、前記ケーブル１１の胴体部の幅よりも小さい状態に保持されている。
【００２９】
しかし、前記ケーブル１１の胴体部の一部を、前記開口部４の外側から前記略リング状部１の内部２の方向に少し押すと、前記開口端部３ａ，３ｂは可とう性又は弾性により容易に互いに離れる方向、すなわち前記開口部４の幅を広げる方向に弾性変形する。その結果、前記ケーブル１１は、容易に前記開口部４を通過して、前記略リング状部１の内部２に移動する。このとき、前述のように、また図３などに示すように、前記開口端部３ａ，３ｂは前記ケーブル１１の長手方向と略直交する平面が略円形状となるように形成されているので、前記ケーブル１１は、その胴体部側面が前記開口端部３ａ，３ｂの対向面（前記ケーブル１１の胴体部側面と接触する面）に対して滑らかに摺動しながら、前記開口部４を通過する。
【００３０】
前記ケーブル１１が前記開口部４を通過して前記略リング状部１の内部２に移動した後は、図４及び図５に示すように、前記各開口端部３ａ，３ｂは、前記互いに離れる方向すなわち前記開口部４の幅を広げる方向に変形した前記状態から、元の状態すなわち前記開口部４の幅が前記ケーブル１１の幅よりも小さい状態へ、弾性的に復帰する。このように、前記開口端部３ａ，３ｂが元の状態に復帰し、前記開口部４の幅が前記ケーブル１１の幅よりも小さい状態になることにより、前記略リング状部１の内部２に移動したケーブル１１は、前記略リング状部１の外部に容易に出ることができないように、前記略リング状部１（特にその中の前記各開口端部３ａ，３ｂ）により保持される。
【００３１】
図２〜５は、ケーブル１１を１周だけ巻回する動作を示すものである。図２〜５のようにケーブル１１を１周だけ巻回した後、作業者（ユーザー）は、このケーブル１１を更に巻回していく。すなわち、図６はこのケーブル１１を２周目まで巻回したときの様子を示すもの、また図７はこのケーブル１１を４周目まで巻回したときの様子を示すものである。
【００３２】
図８は、前記ケーブル１１を、図７の状態からさらに多数回、巻回したときの様子を示すものである。図８に示すように、本実施形態１では、前記ケーブル１１が多数回巻回されたときでも、前記略リング状部１の内部２には十分な余裕スペースが存在している。よって、本実施形態１では、前記略リング状部１の内部２の十分な余裕スペースにより、多数回巻回されたケーブル１１の胴体部（ケーブルの途中部分）は、前記略リング状部１の内部２内において、互いの間がルーズな状態で保持される。その結果、作業者（ユーザー）は、前記ケーブル１１を、前記ケーブル１１の胴体部の各端子１２側，１３側のいずれからでも、また前記ケーブル１１の胴体部の中間部分からでも、任意に、前記略リング状部１の内部２から取り出すことができる。なお、このようなケーブル等ホルダーは、磁石等で事務机その他の備品に固定することができる。
【００３３】
以上のように、本実施形態１においては、ケーブル１１の一部（ケーブル１１の各端子１２，１３間の胴体部）を内部２に配置可能な２つの各リング状部１が、互いに所定の距離を介して接続されており、前記略リング状部１の開口部４は、前記各開口端部３ａ，３ｂ間の距離が前記ケーブル１１の幅よりも小さい状態（ケーブル又はコードが内部で保持される状態）と前記各開口端部３ａ，３ｂ間の距離が前記ケーブル１１の幅と略同一である状態（ケーブル又はコードが通過できる状態）との間で互いに弾性変形可能に形成されているので、ケーブル１１中のどの場所の部分からでも（すなわちケーブル１１の各端子１２，１３側のどちらからでも、及びケーブル１１の端部側に限らずどの部分からでも）、ケーブル１１の一部を前記開口部４を通過させて前記略リング状部１の内部２に移動、配置させることができる。
【００３４】
よって、本実施形態１によれば、ケーブル１１を整理等するために巻回して纏めるとき、ケーブル又はコードの一方の端部側から他方の端部側の方へと一方通行的に規則的に巻回していく必要がなく、すなわちケーブル１１のいずれの端部側からでも任意に且つ双方向的に、またケーブル１１の端部側ではない中間部分からでも任意に、そしてルーズに巻回して纏める（ルーズに束ねて保持する）ことができ、さらに巻回されて纏められたケーブル又はコードを取り出すときも、ケーブル１１のいずれの端部側からでも任意に且つルーズに取り出することができるなど、ケーブル１１を柔軟な方法でルーズに巻回して纏める（ルーズに束ねて保持する）ことができるようになる。
【００３５】
また、本実施形態１によれば、ケーブル１１の胴体部を前記略リング状部１の開口部４を通過させて前記内部２内に移動させるという１種類の動作を順次繰り返すだけで、ケーブル１１を巻回することと、巻回したケーブル１１を乱れないように纏める（ルーズに束ねる）こととの両方を、同時に行うことができるので、ケーブル１１を極めて効率的に巻回して纏める（ルーズに束ねる）ことができるようになる。
【００３６】
また本実施形態１においては、前記略リング状部１をプラスチックなどの可とう性材料又は弾性材料により一体的に形成するようにしたので、極めて低コストに且つ確実に、前記略リング状部１の開口部４を、前記各開口端部３ａ，３ｂ間の距離が前記ケーブル１１の幅よりも小さい状態（ケーブル又はコードが内部で保持される状態）と前記各開口端部３ａ，３ｂ間の距離が前記ケーブル１１の幅と略同一である状態（ケーブル又はコードが通過できる状態）との間で互いに弾性変形可能とすることができる。
【００３７】
さらに本実施形態１において、前記略リング状部１の開口部４の縁部を構成する各開口端部３ａ，３ｂを、前記開口部４を通過するときのケーブル１１の長手方向と略直交する平面が略円形状となるように形成しているので、前記ケーブル１１を前記開口部４の外部から内部へ又は内部から外部へ通過させるとき、前記ケーブル１１の胴体部側面が前記開口端部３ａ，３ｂの対向面（前記ケーブル１１の胴体部側面と接触する面）に対し滑らかに摺動するようになるので、前記ケーブル１１の前記開口部４中の移動を、極めて滑らかに行えるようになる。またさらに、本実施形態では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００３８】
〔第２の実施形態〕
次に図９，図１０は本発明の実施形態２に係るケーブル等ホルダーの構成を説明するための斜視図である。図９，１０において、図１〜８と共通する部分には同一の符号を付して説明を省略する。
【００３９】
本実施形態２では、前記実施形態１と同一のケーブル等ホルダーを２つ用意し（図９参照）、これらの各接続部５を互いに交差させた状態で、各接続部５の略中央部に形成された凹部６を互いに嵌め合わせる。これにより、前記各接続部５はその中間部分（中間点。図１０の符号７参照）で互いに一時的に係止、固定され、２つのケーブル等ホルダーは、平面略十字状に互いに交差された状態で一時的に固定される（図１０参照）。これにより、互いに一定の距離を介して対向するように配置された計４個のリング状部１を備えたケーブル等ホルダーが作製された。
【００４０】
次に、この実施形態２に係る、計４個のリング状部１を備えたケーブル等ホルダーの動作を図１１〜１８を参照して説明する。まず、図１１〜１２に示すように、作業者（ユーザー）は、ケーブル１１の胴体部中の任意の場所の部分を手に取って、その部分を、一方のリング状部１の外部から開口部４中を通過させて、リング状部１の内部２に移動させる動作を、順次、繰り返す。図１１〜１２は、このような動作により、前記計４個のリング状部１を備えたケーブル等ホルダーに対して前記ケーブル１１の１周目の巻回を行うときの動作を示している。
【００４１】
次に、図１３は前記計４個のリング状部１を備えたケーブル等ホルダーに対して前記ケーブル１１の胴体部の２周目の巻回を行うときの動作を示すもの、図１４は前記計４個のリング状部１を備えたケーブル等ホルダーに対して前記ケーブル１１の胴体部の３周目の巻回を行うときの動作を示すものである。
【００４２】
また、図１５〜１７は、前記計４個のリング状部１を備えたケーブル等ホルダーに対して前記ケーブル１１の胴体部の多数回目の巻回を行うときの動作を示している。また、図１５〜１７は、前記ケーブル１１の胴体部を外部から前記略リング状部１の開口部４中を通過させて前記略リング状部１の内部２に移動させ、前記内部２で保持するときの動作をも示している。すなわち、前記略リング状部１の外部に位置するケーブル１１の胴体部を、前記開口部３の縁部を構成する各開口端部３ａ，３ｂの間の隙間に対して小さい力で押し込む（図１５参照）と、前記各開口端部３ａ，３ｂ及びその周辺部分が弾性変形して前記開口部４の幅が拡大するので、ケーブル１１の胴体部は、容易に前記開口部４を通過し（図１６参照）、前記略リング状部１の内部２に移動する（図１７参照）。
【００４３】
図１８は、このようにして、前記ケーブル１１の胴体部の相当部分（各端子１２，１３及びその近傍部分を除く部分）が、前記計４個のリング状部１を備えたケーブル等ホルダーに巻回された後の状態を示すものである。
【００４４】
以上のように、本実施形態２においては、ケーブル１１の胴体部の一部を内部２に配置可能な２つのリング状部１を、それらが互いに所定の距離を介して配置されるように略棒状の接続部５により接続又は連結して成るケーブル等ホルダーを２つ用意し、前記各略棒状接続部５をその各中間部分７において互いに交差させて一時的に係止又は固定することにより、前記２つのケーブル等ホルダーを互いに一時的に固定し、これにより、計４個のリング状部１（それぞれが所定の距離を介して対向するように配置された計４個のリング状部１）を備えたケーブル等ホルダーを構成した。よって、本実施形態２によれば、前記４個のリング状部１を使用して、ケーブル１１を、そのいずれの端子１２，１３側からでも任意に且つ双方向的に、またその端子１２，１３側ではない中間部分からでも任意に、そしてルーズに巻回して纏めることができ、さらに巻回されて纏められたケーブル１１を取り出すときも、そのいずれの端子１２，１３側からでも任意に且つルーズに取り出することができるなど、ケーブル１１を柔軟な方法でルーズに巻回して纏める（ルーズに束ねる）ことができるようになる。また、本実施形態２によれば、ケーブル１１の胴体部を前記計４個の各リング状部１の開口部４を通過させて前記内部２内に移動させるという１種類の動作を順次繰り返すだけで、ケーブル１１を巻回することと、巻回したケーブル１１を乱れないように纏める（ルーズに束ねる）こととの両方を、同時に行うことができるので、ケーブル１１を極めて効率的に巻回して纏める（ルーズに束ねる）ことができるようになる。
【００４５】
また、特に本実施形態２では、「全体として平板状のケーブル等ホルダー」（図１９参照）を２個用意し、作業者（ユーザー）が現場で、それら２個の各ケーブル等ホルダーを前記各接続部５の中央の凹部６を互いに嵌め合わせることにより、「平面略十字状に互いに交差した状態の、立体的な計４個のリング状部１を備えたケーブル等ホルダー」（図１０参照）を作製するようにしている。よって、本実施形態２によれば、不使用時には「全体として平板状のケーブル等ホルダー」（図９参照）として運搬等に便利な平板状の形態としつつ、使用時には２個の前記「全体として平板状のケーブル等ホルダー」を組合せて「平面略十字状に互いに交差した状態の、立体的な計４個のリング状部１を備えたケーブル等ホルダー」（図１０参照）を作製して使用することができるようになる。またさらに、本実施形態では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００４６】
〔第３の実施形態〕
次に本発明の実施形態３によるケーブル等ホルダーを説明する。図１９（ａ）は本実施形態３の構成を説明するための側面図、（ｂ）は前記（ａ）のＡ−Ａ’断面図である。図１９において、２１は側面（巻回及び保持の対象となるケーブルの長手方向と略平行な側面）が略円形の輪郭を有するように形成された接続部、２２は前記接続部２１の内周側に配置された支持用取っ手、２３は前記接続部２１の外周面に連続的に設けられた略リング状部、２４は前記略リング状部２３の内部、２３ｂは前記略リング状部２３の一部に形成された開口部、２３ａは前記開口部の縁部を構成する各開口端部である。前記略リング状部２３の構成は、（ａ）巻回及び保持の対象となるケーブルの長手方向と略直交する断面は、前記実施形態１，２の略リング状部１とほぼ同様であるが、（ｂ）巻回及び保持の対象となるケーブルの長手方向と略平行な平面が、全体として略円形の輪郭を有するように連続するように、形成されている（図１９（ａ）参照）点では、前記実施形態１，２の略リング状部１と異なっている。
【００４７】
すなわち、本実施形態３において、前記接続部２１の巻回及び保持の対象となるケーブルの長手方向と略平行な平面は、前記ケーブルの長手方向と略平行な方向に沿う略円形の輪郭を連続的に有するように形成されている。また、前記略リング状部２３は、巻回し保持する対象となるケーブル（前記略リング状部２３の開口部２３ｂを通過するときのケーブル）の長手方向と略直交する平面が、一部が開口部２３ｂとなっている略リング状となるように形成されている。よって、本実施形態３においては、前記略リング状部２３が、前記略リング状部２３の開口部２３ｂを通過するときのケーブルの長手方向と略平行な方向に、側面視で略円形の輪郭を有するように一体的に連続するように形成されている。
【００４８】
以上のように、本実施形態３においては、前記略リング状部２３を、前記開口部２３ｂの縁部を構成する各開口端部２３ａ，２３ａ間の距離が前記ケーブルの幅よりも小さい状態と前記各開口端部２３ａ，２３ａ間の距離が前記ケーブルの幅と略同一である状態との間で互いに変形可能に形成し、且つ、前記略リング状部２３を、前記略リング状部２３の開口部２３ｂを通過するときのケーブルの長手方向と略平行な方向に側面視で略円形の輪郭を有するように一体的に連続するように形成したので、ケーブルを、そのいずれの端部側からでも任意に且つ双方向的に、またその端部側ではない中間部分からでも任意に、そしてルーズに巻回して纏める（ルーズに束ねる）ことができ、さらに巻回されて纏められたケーブル又はコードを取り出すときも、そのいずれの端部側からでも任意に且つルーズに取り出することができるなど、ケーブルを柔軟な方法でルーズに巻回して纏める（ルーズに束ねる）ことができるようになると共に、ケーブルを巻回することと、巻回したケーブルを乱れないように纏める（束ねる）こととの両方を、一つの動作で同時に行うことができるので、ケーブルを極めて効率的に巻回して纏めることができるようになる。またさらに、本実施形態では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。
【００４９】
なお、本実施形態３においては、前述のように、前記略リング状部２３を前記略リング状部２３の開口部２３ｂを通過するときのケーブルの長手方向と略平行な方向に側面視で「略円形」の輪郭を有するように一体的に連続するように形成するようにしたが、本発明では、前記略リング状部２３を前記略リング状部２３の開口部２３ｂを通過するときのケーブルの長手方向と略平行な方向に側面視で「略多角形」の輪郭を有するように一体的に連続するように形成してもよい。
【００５０】
〔第４の実施形態〕
次に図２０（ａ）を参照して、本発明の実施形態４によるケーブル等ホルダーの一例を説明する。図２０（ａ）において、３１は側面（巻回及び保持の対象となるケーブルの長手方向と略平行な側面）が略円形の輪郭を有するように形成された接続部、３２は前記接続部３１の内周側に配置された支持用取っ手、３３は前記接続部３１の外周面に間欠的に配置、固定された複数の略リング状部である。
【００５１】
本実施形態４の略リング状部３３の構成は、前記実施形態１，２の略リング状部１と比較すると、基本的にはほぼ同様であるが、その幅寸法（対象となるケーブルの長手方向に沿う幅の寸法）が前記実施形態１，２の略リング状部１よりも少し大きくなっている点で、異なっている。また、本実施形態４の略リング状部３３の構成は、前記実施形態３の略リング状部２３と比較すると、対象となるケーブルの長手方向と略直交する平面の構成はほぼ同様であるが、その幅寸法（対象となるケーブルの長手方向に沿う幅の寸法）が前記実施形態３の略リング状部１のように側面視で略円形の輪郭を有するように連続して形成されていない点で、異なっている。
【００５２】
以上のように、本実施形態４においては、前記略リング状部３３を、前記略リング状部３３の開口部を通過するときのケーブルの長手方向と略平行な側面が略円形の輪郭を有するように形成された接続部３１により、前記複数の略リング状部３３を互いに所定の距離を介して接続又は連結するようにしたので、ケーブルを、そのいずれの端部側からでも任意に且つ双方向的に、またその端部側ではない中間部分からでも任意に、そしてルーズに、巻回して纏める（ルーズに束ねる）ことができ、さらに巻回されて纏められたケーブル又はコードを取り出すときも、そのいずれの端部側からでも任意に且つルーズに取り出することができるなど、ケーブルを柔軟な方法でルーズに巻回して纏める（ルーズに束ねる）ことができるようになると共に、ケーブルを巻回することと、巻回したケーブルを乱れないように纏める（ルーズに束ねる）こととの両方を、一つの動作で同時に行うことができるので、ケーブルを極めて効率的に巻回して纏めることができるようになる。
【００５３】
なお、図２０（ａ）に示す例では、前述のように、複数の略リング状部３３を互いに所定の距離を介して接続する接続部３１の形状として、側面（巻回及び保持の対象となるケーブルの長手方向と略平行な側面）が「略円形」の輪郭を有するように形成されたものを示したが、本実施形態４の変形例として、図２０（ｂ）に示すように、側面（巻回及び保持の対象となるケーブルの長手方向と略平行な側面）が「略多角形」の輪郭を有するように形成された接続部としてもよい。すなわち、図２０（ｂ）において、４１は側面（巻回及び保持の対象となるケーブルの長手方向と略平行な側面）が略多角形の輪郭を有するように形成された接続部、４２は前記接続部４１の内周側に配置された支持用取っ手、４３は前記接続部４１の外周面に間欠的に配置、固定された略リング状部である。この図２０（ｂ）に示すような構成によっても、当然に、図２０（ａ）に示す構成と同様の作用効果を奏することができる。
【００５４】
以上、本発明の各実施形態について説明したが、本発明は前記各実施形態として述べたものに限定されるものではなく、様々な修正及び変更が可能である。例えば、前記各実施形態１〜４ではいずれも、ケーブルを巻回して保持する場合について説明したが、本発明ではケーブルだけでなく電気製品のコードなどを巻回及び保持するためにも同様に使用可能である。また、前記各実施形態１〜４ではいずれも、前記略リング状部１，２３，３３，４３のケーブル１１の長手方向と略直交する平面の形状を「略円形」の輪郭を有する略リング状としたが、本発明では、例えば４角形や５角形などの「略多角形」の輪郭を有する略リング状としてもよいことはもちろんである。
【符号の説明】
【００５５】
１，２３，３３，４３     略リング状部
２，２４     略リング状部の内部
３，３ａ，３ｂ，２３ａ   開口端部
４，２３ｂ  開口部
５，２１，３１，４１     接続部
６    凹部
７    中間部分（中間点）
１１  ケーブル
１２，１３   端子
【図１】
2019104564.tif 000003
【図２】
2019104564.tif 000004
【図３】
2019104564.tif 000005
【図４】
2019104564.tif 000006
【図５】
2019104564.tif 000007
【図６】
2019104564.tif 000008
【図７】
2019104564.tif 000009
【図８】
2019104564.tif 000010
【図９】
2019104564.tif 000011
【図１０】
2019104564.tif 000012
【図１１】
2019104564.tif 000013
【図１２】
2019104564.tif 000014
【図１３】
2019104564.tif 000015
【図１４】
2019104564.tif 000016
【図１５】
2019104564.tif 000017
【図１６】
2019104564.tif 000018
【図１７】
2019104564.tif 000019
【図１８】
2019104564.tif 000020
【図１９】
2019104564.tif 000021
【図２０】
2019104564.tif 000022
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている２つの略リング状部を、それらが互いに所定の距離を介して配置されるように略棒状接続部により接続又は連結して成るケーブル等ホルダーを２つ用意し、前記各略棒状接続部をその各中間部分において互いに交差させて係止又は固定することにより、前記２つのケーブル等ホルダーを互いに固定し、これにより、４つの略リング状部が互いに所望の距離を介して配置するように構成された、ケーブル等ホルダー。
【請求項２】
ケーブル又はコードの一部を内部に配置可能に形成され、前記一部が配置されたときの前記ケーブル又はコードの長手方向と略直交する平面が略円形又は略多角形の輪郭を有する略リング状に形成された略リング状部であって、その一部に前記ケーブル又はコードを出し入れ可能な開口部（切り欠き部を含む）が形成されており、前記開口部の縁部を構成する各開口端部間の距離が前記ケーブル又はコードの幅よりも小さい状態と前記各開口端部間の距離が前記ケーブル又はコードの幅と略同一である状態との間で互いに変形可能に形成されている略リング状部が、前記略リング状部の開口部を通過するときのケーブル又はコードの長手方向と略平行な方向に、側面視で略円形又は略多角形の輪郭を有するように連続するように、形成されて成る、ケーブル等ホルダー。
【請求項３】
前記略リング状部は、可とう性材料又は弾性材料により一体的に形成されている、請求項１又は２のいずれかに記載のケーブル等ホルダー。
【請求項４】
前記略リング状部中の前記開口部の縁部を構成するように互いに対向する各開口端部は、前記ケーブル又はコードが前記開口部中を外部から内部へ又は内部から外部へ通過するとき前記ケーブル又はコードの側面が摺動し易いように、前記開口部を通過するときのケーブル又はコードの長手方向と略直交する断面が略円形状に形成されている、請求項１から３までのいずれかに記載のケーブル等ホルダー。
【手続補正２】
【補正対象書類名】明細書
【補正対象項目名】００１９
【補正方法】変更
【補正の内容】
【００１９】
さらに、本発明において、前記略リング状部の開口部の縁部を構成する各開口端部を、前記開口部を通過するときのケーブル又はコードの長手方向と略直交する断面が略円形状となるように形成したときは、前記ケーブル又はコードを前記開口部の外部から内部へ又は内部から外部へ通過させるとき、前記ケーブル又はコードの胴体部の側面が前記各開口端部の対向面に対し滑らかに摺動するようになるので、前記ケーブル又はコードの前記開口部を介しての外部と内部との間の出し入れ（移動）を、極めて滑らかに行えるようになる。
【手続補正３】
【補正対象書類名】明細書
【補正対象項目名】００３７
【補正方法】変更
【補正の内容】
【００３７】
さらに本実施形態１において、前記略リング状部１の開口部４の縁部を構成する各開口端部３ａ，３ｂを、前記開口部４を通過するときのケーブル１１の長手方向と略直交する断面が略円形状となるように形成しているので、前記ケーブル１１を前記開口部４の外部から内部へ又は内部から外部へ通過させるとき、前記ケーブル１１の胴体部側面が前記開口端部３ａ，３ｂの対向面（前記ケーブル１１の胴体部側面と接触する面）に対し滑らかに摺動するようになるので、前記ケーブル１１の前記開口部４中の移動を、極めて滑らかに行えるようになる。またさらに、本実施形態では、ケーブル又はコードをルーズに（緩やかに）巻回することができるので、特に信号線用又は弱電用のケーブル又はコードの場合は、ルーズに（緩やかに）巻回したまま使用しても発熱し難いので、ルーズに（緩やかに）巻回したまま使用することができる。